(57)【要約】【課題】ドレン排水溝の上流側の端面開口部からドレン水が流出する心配がなく、ドレン排水溝の蓋部材との接合が簡単で施工性に優れ、一部切除すれば複数個連結してドレン排水溝に取付けることができるドレンホース接続具を提供する。【解決手段】ドレン排水溝４の上流側端部にドレンホース５の先端部を接続するためのドレンホース接続具１０であって、ドレン排水溝の上流側端部に取付けられて該上流側端部の上面開口部を覆う基板部１と、この基板部の一端から下向きに形成されてドレン排水溝の上流側の端面開口部を閉塞する端板部２と、上記基板部に形成されたドレンホース取付部３と、接合用の重ね縁部１ｃとを備える。端板部２でドレン排水溝４の端面開口部からのドレン水の流出を防止し、重ね縁部１ｃでドレン排水溝の蓋部材４１と簡単に接合できるようにし、端板部２を切除すればドレンホース接続具を複数個連結して取付けることができる。【選択図】図６
2009030926.tif 000002
【特許請求の範囲】
【請求項１】
ドレン排水溝の上流側端部にドレンホースの先端部を接続するためのドレンホース接続具であって、ドレン排水溝の上流側端部に取付けられて該上流側端部の上面開口部を覆う基板部と、この基板部の一端から下向きに形成されてドレン排水溝の上流側の端面開口部を閉塞する端板部と、上記基板部に形成されたドレンホース取付部とからなることを特徴とするドレンホース接続具。
【請求項２】
上記基板部の端板部と反対側端に接合用の重ね縁部が形成されていることを特徴とする請求項１に記載のドレンホース接続具。
【請求項３】
上記基板部のドレンホース取付部と端板部との間に、端板部を切除しやすくするための薄肉部が端板部と平行に形成されていることを特徴とする請求項１又は請求項２に記載のドレンホース接続具。
【請求項４】
上記薄肉部が全長にわたってＶ字形もしくはＵ字形の断面を有する溝状に形成されていることを特徴とする請求項３に記載のドレンホース接続具。
【請求項５】
上記薄肉部の両端部がＶ字形もしくはＵ字形の断面を有する溝状に形成されていることを特徴とする請求項３に記載のドレンホース接続具。
【請求項６】
上記ドレンホース取付部が筒状に形成され、その外周面に、ドレンホース止め部材を固定するための凸リブ又は凹溝が周設されていることを特徴とする請求項１ないし請求項５のいずれかに記載のドレンホース接続具。
【発明の詳細な説明】
【技術分野】
【０００１】
本発明は、ドレン排水溝の上流側端部にドレンホースの先端部を接続するためのドレンホース接続具に関する。
【背景技術】
【０００２】
近年、冷房器や空調器から出るドレン水は、屋外のベランダや廊下などの床面に設けたドレン排水溝の上流側端部に、冷房器や空調器から引き出したドレンホースを接続することにより、ドレン排水溝を通じて排水処理することが多くなってきた。
【０００３】
このようにドレンホースをドレン排水溝に接続する接続（連結）具として、ドレンホースの出口端部が差し込まれドレン水をドレン排水溝部材の排水路に向けて流すようになっているホース差込孔部と、ドレン排水溝部材に直接取り付けられドレン排水溝部材の排水路を上方から塞ぐ蓋体を構成する取付部とからなるドレン連結具が提案されている（特許文献１）。
【特許文献１】特開２００７−１１３３５５号公報
【発明の開示】
【発明が解決しようとする課題】
【０００４】
しかしながら、上記特許文献１のドレン連結具をドレン排水溝部材の上流側端部に取り付けると、上流側端部の上面開口部はドレン連結具の取付部によって閉塞されるけれども、ドレン排水溝部材の上流側の端面開口部はドレン連結具の取付部によって閉塞されないため、ドレンホースからドレン排水溝部材に流れ込んだドレン水が上流側の端面開口部から流出しやすいという問題があった。
【０００５】
しかも、上記特許文献１のドレン連結具は、その取付部の縁部とドレン排水溝部材の蓋部材の縁部との当接面を溶着して接合しているため、この溶着による接合作業が面倒で時間がかかり、施工性があまり良くないという問題もあった。また、ドレン連結具のホース差込孔部にドレンホースを差し込むだけであるため、ドレンホースがホース差込孔部から抜け出しやすいという問題もあった。
【０００６】
本発明は、上記の問題に対処すべくなされたもので、その解決しようとする課題は、ドレン排水溝の上流側の端面開口部からドレン水が流出する心配がなく、ドレン排水溝の蓋部材との接合が簡単で施工性に優れており、一部を切除すれば複数個連結してドレン排水溝に取付けることができ、止め部材を取付ければドレンホースの先端部を外れないように固定することもできる、優れたドレンホース接続具を提供することにある。
【課題を解決するための手段】
【０００７】
上記課題を解決するため、本発明に係るドレンホース接続具は、ドレン排水溝の上流側端部にドレンホースの先端部を接続するためのドレンホース接続具であって、ドレン排水溝の上流側端部に取付けられて該上流側端部の上面開口部を覆う基板部と、この基板部の一端から下向きに形成されてドレン排水溝の上流側の端面開口部を閉塞する端板部と、上記基板部に形成されたドレンホース取付部とからなることを特徴とするものである。
【０００８】
本発明のドレンホース接続具においては、上記基板部の端板部と反対側端に接合用の重ね縁部が形成されていることが望ましい。
【０００９】
そして、上記基板部のドレンホース取付部と端板部との間に、端板部を切除しやすくするための薄肉部が端板部と平行に形成されていることが望ましく、この薄肉部は全長にわたってＶ字形もしくはＵ字形の断面を有する溝状に形成されているか、又は、薄肉部の両端部がＶ字形もしくはＵ字形の断面を有する溝状に形成されていることが望ましい。
【００１０】
また、本発明のドレンホース接続具においては、ドレンホース取付部が筒状に形成され、その外周面に、ドレンホース止め部材を固定するための凸リブ又は凹溝が周設されていることも望ましい。
【発明の効果】
【００１１】
本発明のドレンホース接続具のように、ドレン排水溝の上流側端部の上面開口部を覆う基板部の一端から、ドレン排水溝の上流側の端面開口部を閉塞する端板部が下向きに形成されていると、ドレンホース接続具の基板部をドレン排水溝の上流側端部に取付けて上面開口部を覆ったときに、同時に上流側の端面開口部も端板部で閉塞されるため、ドレンホース取付部に取付けたドレンホースからドレン排水溝に流入したドレン水がドレン排水溝の上流側の端面開口部から流出するのを防止することができる。
【００１２】
そして、上記基板部の端板部と反対側端に接合用の重ね縁部が形成されていると、この重ね縁部をドレン排水溝の蓋部材の端縁に重ねるだけで、ドレンホース接続具の基板部を蓋部材に隙間なく接合できるので、従来のように溶着して接合するドレン連結具に比べると、接合作業が遥かに簡単になり、施工性が大幅に向上する。
【００１３】
また、上記基板部のドレンホース取付部と端板部との間に、端板部を切除しやすくするための薄肉部が端板部と平行に形成されていると、この薄肉部に沿って基板部をカッターなどで簡単に切断して端板部を切除でき、このように端板部を切除したドレンホース接続具を複数個連結してドレン排水溝に取付けることができるようになる。その場合、薄肉部が全長にわたってＶ字形もしくはＵ字形の断面を有する溝状に形成されていると、この溝状の薄肉部に沿って一層切断し易くなり、また、薄肉部の両端部がＶ字形もしくはＵ字形の断面を有する溝状に形成されている場合も、切断を始める薄肉部の端部が切断し易いので切断作業が容易になる。
【００１４】
さらに、ドレンホース取付部が筒状に形成され、その外周面に、ドレンホース止め部材を固定するための凸リブ又は凹溝が周設されていると、この凸リブ又は凹溝にドレンホース止め部材を取付固定し、ドレンホース取付部に取付けられたドレンホースを上記の止め部材によって外れないように固定することができる。
【発明を実施するための最良の形態】
【００１５】
以下、図面を参照して本発明の具体的な実施形態を詳述する。
【００１６】
図１は本発明の一実施形態に係るドレンホース接続具の斜視図、図２は図１のＡ−Ａ線断面図、図３は図１のＢ−Ｂ線断面図、図４は同ドレンホース接続具の一使用例を示す斜視図、図５は同ドレンホース接続具の一使用例をドレンホースを省略して示す平面図、図６は図５のＣ−Ｄ−Ｅ−Ｆ線断面図、図７は図５のＧ−Ｇ線断面図、図８の（ａ）及び（ｂ）はドレン排水溝の溝部材の平面図及び端面図、図８の（ｃ）（ｄ）はドレン排水溝の蓋部材の平面図及び端面図、図９は同ドレンホース接続具の他の使用例をドレンホースを省略して示す平面図、図１０は図９のＨ−Ｉ−Ｊ−Ｋ線断面図である。
【００１７】
このドレンホース接続具１０は、図１〜図３に示すように、ドレン排水溝の上流側端部に取付けられて該上流側端部の上面開口部を覆う基板部１と、この基板部１の一端から下向きに形成されてドレン排水溝の上流側の端面開口部を閉塞する端板部２と、上記基板部１の中央に形成された筒状のドレンホース取付部３とを、熱可塑性合成樹脂にて一体に射出成形したものである。
【００１８】
図３に示すように、基板部１は偏平なハット形状とされ、その両側端には一段低いフランジ部１ａ，１ａが形成されている。そして、基板部１の表面には、図１に示すように、細帯状の３本のリブ１ｂが形成されている。この細帯状リブ１ｂは、図８の（ｃ）（ｄ）に示すドレン排水溝の蓋部材４１の表面に形成された細帯状リブ４１ｂに対応して形成されたものであって、基板部１の補強効果と意匠効果が得られるようにしたものである。
【００１９】
端板部２は、図１、図２、図６に示すように、基板部１の両側のフランジ部１ａ，１ａよりも、ドレン排水溝４の溝部材４２の底板４２ａの厚さ分だけ下方へ突き出すように形成されており、後述するように、基板部１両側のフランジ部１ａ，１ａを溝部材４２の両側内面の凹条４２ｂ，４２ｂ［図８の（ｂ）を参照］に挿入して、ドレンホース接続具１０をドレン排水溝４の上流側端部に取付けると、ドレン排水溝４（溝部材４２）の上流側の端面開口部が端板部２によって閉塞されるようになっている。そして、ドレン排水溝４（溝部材４２）の上流側端部の上面開口部は、図６、図７に示すように、ドレンホース接続具１０の基板部１によって覆われるようになっている。上記の端板部２は、必ずしもフランジ部１ａ，１ａより下方へ突き出すように形成する必要はなく、端板部２の下面とフランジ部１ａ，１ａの下面が面一に揃うように形成してもよい。その場合は、端板部２の下面が溝部材４２の底板４２ａの上面に当接して上流側の端面開口部を閉塞することになるので、図８の（ａ）（ｂ）に示すように溝部材４２の底板４２ａに細溝部４２ｄが形成されているときには、該細溝部４２ｄに嵌まり込む小凸部を端板部２の下面に設けることが好ましい。
【００２０】
図１、図２に示すように、基板部１の上記端板部２と反対側端には、一段高い接合用の重ね縁部１ｃが形成されており、図６に示すように、ドレンホース接続具１０をドレン排水溝４（溝部材４２）の上流側端部に取付けるときに、この重ね縁部１ｃをドレン排水溝４の蓋部材４１の端縁部に重ねるだけで、ドレンホース接続具１０と蓋部材４１の接合を簡単に行うことができるようになっている。尚、この重ね縁部１ｃを基板部１の両側面まで形成すると、重ね縁部１ｃが溝部材４２の両側の堤部４２ｃ，４２ｃ［図８の（ｂ）を参照］に当たって、ドレンホース接続具１０をドレン排水溝４（溝部材４２）の上流側端部に取付けることができないため、基板部１の上面のみに重ね縁部１ｃを形成しているが、場合によっては、堤部４２ｃ，４２ｃを覆うように重ね縁部１ｃの両端を延設してもよい。また、この重ね縁部１ｃの下面には、蓋部材４１の細帯状リブ４１ｂが嵌まり込む凹部や、後述するようにドレンホース接続具を連結する際にコーキング剤溜まりとなる凹部を形成してもよい。
【００２１】
また、基板部１のドレンホース取付部３と端板部２との間には、後述するように、ドレンホース接続具１０を複数連結してドレン排水溝４の上流側端部に取付ける場合に、端板部２を切除しやすくするための薄肉部１ｄが基板部１の全幅に亘って端板部２と平行に形成されている。この薄肉部１ｄは、カッターなどによる切断作業性を向上させる観点から、図１、図２に示すように薄肉部１ｄの全長に亘ってＶ字形の断面を有する溝状に形成するか、又は、薄肉部１ｄの全長に亘ってＵ字形の断面を有する溝状に形成することが望ましいが、薄肉部１ｄの両端部（基板部１の両側面からフランジ部１ａに形成された部分）のみをＶ字形もしくはＵ字形の断面を有する溝状に形成してもよい。
【００２２】
基板部１の中央に形成された円筒状のドレンホース取付部３は、市販されている最も太いドレンホースを差し込むことができる内径を備えたものであることが好ましく、このようなドレーホース取付部３を設けると、後述するドレンホース止め部材８（図１２を参照）を用いてドレンホースを抜けないように取付ける場合に、小径部８ｂの内径が種々異なるドレンホース止め部材８を使用することによって、市販の種々の太さのドレンホースを抜けないように差し込んで取付けることが可能となる。また、場合によっては、この円筒状のドレンホース取付部３の下端内周に内鍔部（不図示）を形成することも好ましく、このような内鍔部を形成すると、ドレンホースの下端が内鍔部によって当止され、ドレン排水溝４の溝底に当たるまで挿入されることが防止されるため、ドレンホースの下端開口が溝底で閉塞されてドレン水の流入が妨げられる心配をなくすことができる。尚、ドレンホース取付部３は、ドレンホースを差し込むタイプの円筒状の取付部に限定されるものではなく、ドレンホースの先端部を確実に取付けてドレン水をドレン排水溝４に流入させることができるものであれば、ドレンホースの先端部を把持するタイプのものなど、種々のタイプや形状のドレンホース取付部とすることができる。
【００２３】
上記のドレンホース接続具１０を取付けるドレン排水溝４は、図８の（ａ）（ｂ）に示すような合成樹脂製の溝部材４２と、図８の（ｃ）（ｄ）に示すような合成樹脂製の蓋部材４１からなるものである。溝部材４２は、縦長の底板４２ａの左右両側に全長に亘って堤部４２ａ，４２ａを形成したもので、この堤部４２ａ，４２ａの相対向する内側面の下端には、蓋部材４１の左右両側のフランジ部４１ａ，４１ａを挿入する凹条４２ｂ，４２ｂが形成されており、また、底板４２ａの上面には、少量のドレン水でもスムーズに流れるように、多数の細溝部４２ｄが形成されている。一方、蓋部材４１は、ドレンホース接続具１０の基板部１と同様の偏平なハット形状の断面を有するもので、左右両側には一段低いフランジ部４１ａ，４１ａが形成されており、上面には補強効果、意匠効果、排水効果等を発揮する３本の細帯状のリブ４１ｂが形成されている。そして、蓋部材４１の裏面には、耐荷重を向上させるための３つの支持片４１ｃが形成されている。
【００２４】
次に、上記ドレンホース接続具１０、上記溝部材４２、上記蓋部材４１を用いて、図４に示すようなドレン排水設備を屋外のベランダ等に施工する場合について説明する。
【００２５】
まず、上記溝部材４２の凹条４２ｂ，４２ｂに上記蓋部材４１のフランジ部４１ａ，４１ａを挿入し、ドレンホース接続具１０が取付けられる上流側端部を残して、溝部材４２の上面開口部（両側の堤部４２ｃ，４２ｃの相互間の開口部）を蓋部材４１で覆うことにより、ドレン排水溝４を組み立てる。次いで、ドレン排水溝４（溝部材４２）の上流側端部の凹条４２ｂ，４２ｂに、ドレンホース接続具１０のフランジ部１ａ，１ａを挿入することによって、図５〜図７に示すようにドレンホース接続具１０を溝部材４２の上流側端部に取付け、ドレンホース接続具１０の基板部１で溝部材４２の上流側端部の上面開口部を覆うと共に、ドレンホース接続具１０の端板部２で溝部材４２の上流側の端面開口部を閉塞する。そして、図６に示すように、ドレンホース接続具１０の重ね縁部１ｃを蓋部材４１の端縁に重ねて、ドレンホース接続具１０と蓋部材４１を接合し、このドレンホース接続具１０を取付けたドレン排水溝４を、図４，図６に示すようにベランダ床面６の片側の一辺沿いに敷設して、ドレン排水溝４の下流側の端面開口部をベランダの排水溝６ａに臨ませる。そして、図４、図６、図７に示すように、屋内の冷房機や空調器から引き出したドレンホース５の先端をドレンホース接続具１０の円筒状のドレンホース取付部３に差し込んで取付け、ドレン排水設備の施工を完了する。
【００２６】
尚、ドレンホース接続具１０の端板部２と溝部材４２の上流側の端面は接着剤等で水密的に接着することが望ましく、ドレンホース接続具１０の端板部２と家屋外壁面７との間にはコーキング剤等を詰めることが望ましい。
【００２７】
上記のように施工すると、ドレン排水溝４（溝部材４２）の上流側の端面開口部がドレンホース接続具１０の端板部２によって閉塞されるため、ドレンホース５から比較的多量のドレン水がドレン排水溝４（溝部材４２）の上流側端部に流入しても、ドレン排水溝４（溝部材４２）の端面開口部からドレン水が流出する心配はなくなり、全てのドレン水がドレン排水溝４を下流側に流れてベランダの排水溝６ａへ排水される。その場合、ドレン水が少量でも、溝部材４２の細溝４２ｄをスムーズに流れて排水される。また、ドレンホース接続具１０の重ね縁部１ｃを蓋部材４１の端縁に重ねるだけで、ドレンホース接続具１０の基板部１と蓋部材４１を接合できるので、接合作業が簡単になり、施工性が向上する。
【００２８】
上記の施工例は、ドレン排水溝４にドレンホース接続具１０を一つだけ取付けたものであるが、ドレンホース５が２本引き出されている場合は、二つのドレンホース接続具１０を連結してドレン排水溝４の上流側端部に取付ける必要がある。そのような場合は、二番目のドレンホース接続具１０の基板部１を、Ｖ字形の断面を有する溝状の薄肉部１ｄに沿ってカッター等で切断して、端板部２を切除し、図９、図１０に示すように、この二番目のドレンホース接続具１０の基板部１の切断端部に、一番目のドレンホース接続具１０の重ね縁部１ｃを重ねて、双方のドレンホース接続具１０，１０を連結すると共に、二番目のドレンホース接続具１０の重ね縁部１ｃをドレン排水溝４の蓋部材４１の端縁部に重ねて接合し、双方のドレンホース接続具１０，１０のドレンホース取付部３，３にドレンホース５，５を一本ずつ差し込めばよい。このようにドレンホース接続具１０を複数連結する場合、前述したように接合用の重ね縁部１ｃの下面にコーキング剤溜まりとなる凹部が形成されていると、コーキング剤を詰めて水密的に連結することができる。
【００２９】
更に、３本以上のドレンホース５が引き出されている場合は、二番目以降のドレンホース接続具１０の端板部２を全て切除し、上記と同様に連結して３個以上のドレンホース接続具１０をドレン排水溝に取付け、それぞれのドレンホース接続具１０のドレンホース取付部３にドレンホース５を１本ずつ差し込めばよい。
【００３０】
図１１は本発明の他の実施形態に係るドレンホース接続具の斜視図、図１２は同ドレンホースにドレンホース止め部材を用いてドレンホースを接続する場合の分解断面図、図１３は同ドレンホース接続具にドレンホース止め部材を用いてドレンホースを接続したところを示す断面図、図１４はドレンホース止め部材の平面図である。
【００３１】
このドレンホース接続具１１は、ドレンホース取付部３が円筒状に形成されており、その外周面に、ドレンホース止め部材８を固定するための、半円形の断面を有する凸リブ３ａが複数（２つ）形成されている。このドレンホース止め部材８は、図１２、図１３に示すように、ドレンホース接続具１１のドレンホース取付部３に外嵌合させる大径部８ａと、コルゲート管からなるドレンホース５をねじ込む小径部８ｂとを熱可塑性合成樹脂で一体成形したものであって、図１４に示すように大径部８ａも小径部８ｂも開環筒状に形成されており、図１２に示すように、大径部８ａの内面には、ドレンホース取付部３の凸リブ３ａを嵌め込む複数（２つ）の凹溝８ｃ，８ｃが、また、小径部８ｂの内面には、ドレンホース５の螺旋状山部５ａを螺入する不連続な螺旋状の溝部８ｄが形成されている。
【００３２】
上記のドレンホース止め部材８を併用するドレンホース接続具１１は、次の要領でドレンホース５を抜けないようにドレンホース取付部３に差し込んで固定することができる。まず、ドレンホース止め部材８を回しながら、ドレンホース５の螺旋状山部５ａをドレンホース止め部材８の小径部８ｂの不連続な螺旋状溝部８ｄに螺入し、ドレンホース５の下端がドレンホース止め部材８の大径部８ａの下端開口から少し突き出すまでドレンホース５をねじ込む。そして、ドレンホース５の下端をドレンホース接続具１１のドレンホース取付部３に挿入しながら、ドレンホース止め部材８の大径部８ａを少し弾性拡開してドレンホース取付部３に外嵌合させ、ドレンホース取付部３の凸リブ３ａ，３ａを大径部８ａの凹溝８ｃ，８ｃに嵌め込んで固定する。このようにすると、ドレンホース止め部材８はドレンホース取付部３から外れることがなく、ドレンホース５はドレンホース止め部材８の小径部８ｂから抜け出すことがないので、ドレンホース５をドレンホース取付部３に抜け出し不能に差込み固定することができる。その場合、前述したように
【００３３】
このドレンホース接続具１１では、ドレンホース取付部３の外周面に２つの凸リブ３ａ，３ａを形成し、ドレンホース止め部材８の大径部８ａの内面に２つの凹溝８ｃ，８ｃを形成しているが、凸リブ３ａと凹溝８ｃの数は１つでも３つ以上でもよい。また、ドレンホース取付部３の外周面に凹溝を形成し、大径部８ａの内面に凸リブを形成してもよい。
【００３４】
このドレンホース接続具１１の他の構成及び作用効果は、前述のドレンホース接続具１０と同様であるので、図１１〜図１３において、同一部分には同一符号を付し、重複説明を省略する。
【００３５】
尚、円筒状のドレンホース取付部３が、既述したように、市販されている最も太いドレンホースを差し込むことができる内径を備えたものであると、小径部８ｂの内径が種々異なるドレンホース止め部材８を使用することによって、市販の種々の太さのドレンホースを抜けないように差し込んで取付けることが可能となる。また、ドレンホース５が、リング状の山部と谷部を交互に連成したコルゲート管からなる場合は、ドレンホース止め部材８の小径部８ｂの内面に、不連続な螺旋状溝部８ｄに替えて開環状の溝部を形成し、小径部８ｂを少し弾性拡開してドレンホースに外嵌着させることにより、ドレンホース５のリング状山部を小径部８ｂの開環状溝部に嵌め込んで抜けないようにドレンホース５を取付ければよい。
【図面の簡単な説明】
【００３６】
【図１】本発明の一実施形態に係るドレンホース接続具の斜視図である。
【図２】図１のＡ−Ａ線断面図である。
【図３】図１のＢ−Ｂ線断面図である。
【図４】同ドレンホース接続具の一使用例を示す斜視図である。
【図５】同ドレンホース接続具の一使用例をドレンホースを省略して示す平面図である。
【図６】図５のＣ−Ｄ−Ｅ−Ｆ線断面図である。
【図７】図５のＧ−Ｇ線断面図である。
【図８】（ａ）及び（ｂ）はドレン排水溝の溝部材の平面図及び端面図、（ｃ）（ｄ）はドレン排水溝の蓋部材の平面図及び端面図である。
【図９】同ドレンホース接続具の他の使用例をドレンホースを省略して示す平面図である。
【図１０】図９のＨ−Ｉ−Ｊ−Ｋ線断面図である。
【図１１】本発明の他の実施形態に係るドレンホース接続具の斜視図である。
【図１２】同ドレンホース接続具にドレンホース止め部材を用いてドレンホースを接続する場合の分解断面図である。
【図１３】同ドレンホース接続具にドレンホース止め部材を用いてドレンホースを接続したところを示す断面図である。
【図１４】ドレンホース止め部材の平面図である。
【符号の説明】
【００３７】
１    基板部
１ｃ  重ね縁部
１ｄ  Ｖ字形の断面を有する溝状に形成された薄肉部
２    端板部
３    ドレンホース取付部
３ａ  凸リブ
４    ドレン排水溝
４１  蓋部材
４２  溝部材
５    ドレンホース
６    ベランダ床面
１０，１１  ドレンホース接続具
【図１】
2009030926.tif 000003
【図２】
2009030926.tif 000004
【図３】
2009030926.tif 000005
【図４】
2009030926.tif 000006
【図５】
2009030926.tif 000007
【図６】
2009030926.tif 000008
【図７】
2009030926.tif 000009
【図８】
2009030926.tif 000010
【図９】
2009030926.tif 000011
【図１０】
2009030926.tif 000012
【図１１】
2009030926.tif 000013
【図１２】
2009030926.tif 000014
【図１３】
2009030926.tif 000015
【図１４】
2009030926.tif 000016